(57)【特許請求の範囲】
【請求項１】
代償性休止期を伴う心室性期外収縮後の洞調律の変動を検査するＨＲＴ検査機能を有する心電図解析装置であって、
解析の対象となる心電図を取得する取得部と、
前記心電図からＨＲＴ検査の対象となるＨＲＴデータを選別し、前記ＨＲＴデータに対してＨＲＴ検査を行うＨＲＴ検査部と、
前記ＨＲＴ検査の結果とともに、前記心電図において単発的に発生した心室性期外収縮の拍数および前記ＨＲＴデータの個数の少なくとも一方を時系列的に表示部の一画面内に表示させる表示制御部と、
を備える、心電図解析装置。
【請求項２】
前記表示制御部は、前記ＨＲＴ検査の結果とともに、前記心電図において単発的に発生した心室性期外収縮の拍数および前記ＨＲＴデータの個数の両方を時系列的に前記表示部の一画面内に表示させる、請求項１に記載の心電図解析装置。
【請求項３】
更に、前記取得部が取得した前記心電図に対して周波数解析を行なう周波数解析部を備え、
前記表示制御部は、前記ＨＲＴ検査の結果とともに、副交感神経及び交感神経の少なくとも一方の興奮状態を示す周波数帯域のデータを、時系列的に前記表示部の一画面内に表示させる、請求項１または請求項２に記載の心電図解析装置。
【請求項４】
前記ＨＲＴ検査部は、複数の前記ＨＲＴデータを平均化した平均ＨＲＴデータに対してＨＲＴ検査を行うとともに、複数の前記ＨＲＴデータの各々に対して個別ＨＲＴ検査を行ない、
前記表示制御部は、前記平均ＨＲＴデータに対して行なわれたＨＲＴ検査の結果とともに、前記個別ＨＲＴ検査の結果を時系列的に前記表示部の同一画面内に表示させる、請求項１から請求項３のいずれか一項に記載の心電図解析装置。
【請求項５】
前記表示制御部は、前記表示部の同一画面内に時系列的に表示されるデータの全てを、同一の時間軸上に並列した状態で表示させる、請求項１から請求項４のいずれか一項に記載の心電図解析装置。
【請求項６】
さらに、前記表示部に表示された前記ＨＲＴ検査の結果を含む画面を１枚の用紙に印刷する印刷制御部を備える、請求項１から請求項５のいずれか一項に記載の心電図解析装置。
【発明の詳細な説明】
【技術分野】
【０００１】
本発明は、ＨＲＴ検査機能を有した心電図解析装置に関するものである。
【背景技術】
【０００２】
心疾患（虚血性心疾患など）を患った患者は、心室性期外収縮（Premature Ventricular Contraction: PVCやVPCと称される）が増加して、心室頻拍や心室細動に至り心臓突然死を引き起こすリスクが通常より高い。このような突然死には自律神経機能が大きく関与するため、心疾患を患った患者に対しては、心拍の揺らぎを観察することが、予後予測因子として重要であるとの専門家の意見がある。例えば、心室性期外収縮後の心拍の揺らぎを評価する指標として、ＨＲＴ（Heart Rate Turbulence）が提案されている（特許文献１参照）。
【先行技術文献】
【特許文献】
【０００３】
【特許文献１】米国特許６４９６７２２号明細書
【発明の概要】
【発明が解決しようとする課題】
【０００４】
医師は、ＨＲＴの検査結果が陽性であるか陰性であるかを確認して、治療方針を決定する。ＨＲＴの検査結果が陽性の場合、医師は、自律神経の変化を確認してＨＲＴとの関連性を確認しながら診断を行う。ＨＲＴの検査結果が陰性の場合、医師は、単発的な心室性期外収縮の発生頻度やその拍数などを確認して、ＨＲＴの検査結果の妥当性を判断する。
【０００５】
しかしながら、ＨＲＴを検査する機能を備えた従来の心電図解析装置では、ＨＲＴの検査結果とその他のパラメータとを同時に確認する手段がなく、表示方法が異なる画面やプリントアウトしたレポートを交互に確認しつつ各データの関連性を考慮して、総合的に診断をする必要があった。このため、ＨＲＴの検査結果の妥当性を検証する際に、医師に過度な負担がかかり、治療方針の迅速な決定に影響を及ぼす場合があった。
【０００６】
そこで、本発明は、ＨＲＴの検査結果の妥当性を検証する際の医師の負担を軽減して、医師による治療方針の迅速な決定をサポートすることが可能な心電図解析装置を提供することを目的とする。
【課題を解決するための手段】
【０００７】
上記目的を達成するために、本発明の心電図解析装置は、
代償性休止期を伴う心室性期外収縮後の洞調律の変動を検査するＨＲＴ検査機能を有する心電図解析装置であって、
解析の対象となる心電図を取得する取得部と、
前記心電図からＨＲＴ検査の対象となるＨＲＴデータを選別し、前記ＨＲＴデータに対してＨＲＴ検査を行うＨＲＴ検査部と、
前記ＨＲＴ検査の結果とともに、前記心電図において単発的に発生した心室性期外収縮の拍数および前記ＨＲＴデータの個数の少なくとも一方を時系列的に表示部の一画面内に表示させる表示制御部と、を備える。
【０００８】
この構成によれば、医師は、ＨＲＴ検査の結果が表示された画面内で、心室性期外収縮の拍数とＨＲＴデータの個数の少なくとも一方の時系列的な変化を確認することができる。このため、医師は、ＨＲＴ検査の結果の妥当性を総合的に検証することが容易となり、ＨＲＴ検査の結果を踏まえた治療方針を迅速に決定することができる。
【０００９】
また、本発明の心電図解析装置において、
前記表示制御部は、前記ＨＲＴ検査の結果とともに、前記心電図において単発的に発生した心室性期外収縮の拍数および前記ＨＲＴデータの個数の両方を時系列的に前記表示部の一画面内に表示させても良い。
【００１０】
この構成によれば、医師は、ＨＲＴ検査の結果が表示された画面内で、心室性期外収縮の拍数とＨＲＴデータの個数の両方の時系列的な変化を確認することができる。このため、医師は、ＨＲＴ検査の結果の妥当性を総合的に検証することがさらに容易となる。
【００１１】
また、本発明の心電図解析装置において、
更に、前記取得部が取得した前記心電図に対して周波数解析を行なう周波数解析部を備え、
前記表示制御部は、前記ＨＲＴ検査の結果とともに、副交感神経及び交感神経の少なくとも一方の興奮状態を示す周波数帯域のデータを、時系列的に前記表示部の一画面内に表示させても良い。
【００１２】
この構成によれば、医師は、ＨＲＴ検査の結果が表示された画面内で、副交感神経及び交感神経の少なくとも一方の興奮状態を示すデータの時系列的な変化を確認することができる。このため、医師は、ＨＲＴ検査の結果の妥当性を総合的に検証することがさらに容易となる。
【００１３】
また、本発明の心電図解析装置において、
前記ＨＲＴ検査部は、複数の前記ＨＲＴデータを平均化した平均ＨＲＴデータに対してＨＲＴ検査を行うとともに、複数の前記ＨＲＴデータの各々に対して個別ＨＲＴ検査を行ない、
前記表示制御部は、前記平均ＨＲＴデータに対して行なわれたＨＲＴ検査の結果とともに、前記個別ＨＲＴ検査の結果を時系列的に前記表示部の同一画面内に表示させても良い。
【００１４】
この構成によれば、医師は、平均ＨＲＴデータに対して行われたＨＲＴ検査の結果が表示された画面内で、複数のＨＲＴデータの各々に対して行われた個別ＨＲＴ検査の時系列的な変化を確認することができる。このため、医師は、ＨＲＴ検査の結果の妥当性を総合的に検証することがさらに容易となる。
【００１５】
また、本発明の心電図解析装置において、
前記表示制御部は、前記表示部の同一画面内に時系列的に表示されるデータの全てを、同一の時間軸上に並列した状態で表示させても良い。
【００１６】
従来、画面やレポートによってはデータを表示する時間軸が統一されておらず、各データの関連性を正確に把握することが困難であった。上記構成によれば、医師は、ＨＲＴ検査の結果が表示された画面内で、同一の時間軸上で各データの変化を確認することができ、各データの関連性を把握することが容易となる。このため、医師は、ＨＲＴ検査の結果の妥当性を総合的に検証することがさらに容易となる。
【００１７】
また、本発明の心電図解析装置において、
さらに、前記表示部に表示された前記ＨＲＴ検査の結果を含む画面を１枚の用紙に印刷する印刷制御部を備えても良い。
【００１８】
この構成によれば、医師は、画面やプリントアウトされた用紙を交互に見ることなく、１枚の用紙を見ることにより、ＨＲＴ検査の結果の妥当性を容易に検証することができる。
【発明の効果】
【００１９】
本発明の心電図解析装置によれば、ＨＲＴの検査結果の妥当性を検証する際の医師の負担を軽減して、医師による治療方針の迅速な決定をサポートすることが可能な心電図解析装置を提供することができる。
【図面の簡単な説明】
【００２０】
【図１】本発明の実施形態に係る心電図解析装置の概要図である。
【図２】心電図波形の特徴を説明するための図である。
【図３】ＨＲＴ検査の対象となるＨＲＴデータの一例を示す図である。
【図４】ＨＲＴ検査の結果を判定するためのグラフの一例を示す図である。
【図５】ＴＳＬを求めるための回帰直線の一例を示す図である。
【図６】心電図解析装置の動作を説明するためのフローチャートである。
【図７】心電図解析装置に表示される画面の一例を示す図である。
【図８】図７のＣ部分を拡大した図である。
【図９】図７のＤ部分を拡大した図である。
【発明を実施するための形態】
【００２１】
以下、本実施形態の一例について、図面を参照して詳細に説明する。
図１に示すように、本形態の心電図解析装置１は、取得部１０と、分類部１１と、ＨＲＴ検査部１２と、周波数解析部１３と、記憶部１４と、表示制御部１５と、表示部１６と、印刷制御部１７と、印刷部１８と、を備えている。
【００２２】
心電図解析装置１には、ホルター心電計Ａによって被検者から計測された長時間（例えば２４時間）の心電図が入力される。
【００２３】
取得部１０は、ホルター心電計Ａから入力された被検者の２４時間の心電図、すなわち解析の対象となるデータを取得する。
【００２４】
分類部１１は、取得された２４時間の心電図に対して、正常な波形（洞調律における心拍の波形、以下、Ｎ拍とも称する）と異常な波形（心室性期外収縮による心拍の波形、以下、Ｖ拍とも称する）とを分類する処理を行う。このＮ拍とＶ拍の分類は、心電図に含まれる各ＱＲＳ波形に対してマッチング処理を行うことによって実行される。本例において心拍の波形とは、心電図のＱＲＳ波形のことを意味し（図２参照）、ＲはＱＲＳ波形の拍検出位置を指すものとして用いる。
【００２５】
ＨＲＴ検査部１２は、データ選別部２１と、算出部２２と、判定部２３と、を備えている。
データ選別部２１は、各波形がＮ拍又はＶ拍に分類された心電図から、ＨＲＴ検査の対象となるＨＲＴデータを選別する。算出部２２は、選別されたＨＲＴデータの各ＲＲ間隔を算出し、ＨＲＴ検査の判断要素となるＴＯＳ（turbulence onset）やＴＳＬ（turbulence slope）を算出する。判定部２３は、算出された各データと閾値とを比較してＨＲＴ検査の結果を判定する。
【００２６】
周波数解析部１３は、被検者から計測された２４時間の心電図に対して例えばＦＦＴによる周波数解析を行う。
【００２７】
記憶部１４は、取得部１０、ＨＲＴ検査部１２、周波数解析部１３等の各部で処理されたデータを記憶する。
【００２８】
表示制御部１５は、ＨＲＴ検査部１２、周波数解析部１３等によって算出された各データを表示部１６に表示させる。表示部１６は、例えばタッチパネル式の液晶画面で構成されている。
【００２９】
印刷制御部１７は、表示部１６に表示された画面を例えばＡ４の用紙に印刷するように印刷部１８に命令する。
【００３０】
図３は、ＨＲＴデータの一例を示している。本例のＨＲＴデータとは、単発のＶ拍が代償性休止期を伴っており、そのＶ拍の前に３拍のＮ拍が存在するとともにＶ拍の後ろに１６拍のＮ拍が存在する、合計２０拍で構成される１つの集合データである。図３に示されるＨＲＴデータ３０では、Ｖ１が単発のＶ拍であり、Ｎ−１〜Ｎ−３が単発のＶ１の前に存在する３拍のＮ拍であり、Ｎ１〜Ｎ１６が単発のＶ１の後ろに存在する１６拍のＮ拍である。
【００３１】
単発のＶ拍とは、Ｖ拍の前後に他のＶ拍が発生していない、単独で発生したＶ拍のことを意味する。図３の例では、Ｖ１の前後はＮ拍であり、単発のＶ拍である。
代償性休止期を伴うＶ拍とは、Ｖ拍を挟むＮ拍とＮ拍とのＲＲ間隔が、洞調律におけるＮ拍とＮ拍とのＲＲ間隔の２倍かそれ以上になっているＶ拍のことをいう。図３の例では、また、Ｖ１は、Ｖ１を挟むＮ−１とＮ１とのＲＲ間隔が１６２４ｍｓ（ＲＲ０＋ＲＲ１＝４９６＋１１２８［ｍｓ］）である。この値は、洞調律におけるＮ拍とＮ拍とのＲＲ間隔の平均（例えば８００ｍｓ）の２倍（１６００ｍｓ）以上になっている。したがって、図３の例のＶ１は代償性休止期を伴うＶ拍に該当する。
ＨＲＴ検査とは、代償性休止期を伴うＶ拍の後の洞調律の変動を検査することをいう。
【００３２】
なお、図３において、Ｒは各拍の拍検出位置を示し、例えば、Ｎ−３〜Ｎ１６の各拍検出位置がそれぞれＲ−３〜Ｒ１６である。
また、Ｒ−３とＲ−２との間隔は８５６ｍｓであるが、以降、これを、ＲＲ−２間隔が８５６ｍｓであるとも称する。同様に、Ｒ−２とＲ−１との間隔は８０８ｍｓであるが、ＲＲ−１間隔が８０８ｍｓとも称する。
【００３３】
図４に示されるグラフでは、横軸にはＨＲＴデータにおける１９個のＲＲ間隔名（ＲＲ−２，ＲＲ−１，・・・，ＲＲ１６）が示されており、縦軸にはＲＲ間隔の値（ｍｓ）が示されている。この例に示した各ＲＲ間隔の値は、ＨＲＴデータとして選別された全てのＨＲＴデータにおいて各ＲＲ間隔の値をそれぞれ平均した値である。例えばＲＲ−２の８７４ｍｓは、ＨＲＴデータとして選別された全てのＨＲＴデータにおける各々のＲＲ−２値を算出して、それらの平均値として算出された値である。
【００３４】
ＨＲＴデータにおけるＶ拍後の洞調律の変動は、上述したＴＯＳと、ＴＳＬとを用いて示される。
【００３５】
ＴＯＳは、Ｖ拍後の２つのＮ拍のＲＲ間隔と、Ｖ拍前の２つのＮ拍のＲＲ間隔と、の変化（比率）のことであり、下記の式１で表わされる。
（（Ｖ拍後の２つのＮ拍のＲＲ間隔の和）−（Ｖ拍前の２つのＮ拍のＲＲ間隔の和））／（Ｖ拍前の２つのＮ拍のＲＲ間隔の和）×１００［％］・・・（式１）
式１によって算出された値が閾値（０％）より小さい場合、すなわち負の場合にＴＯＳは正常（陰性）であると判定される。
【００３６】
例えば、図４の例においてＴＯＳを算出すると、（（ＲＲ２＋ＲＲ３）−（ＲＲ−１＋ＲＲ−２））／（ＲＲ−１＋ＲＲ−２）×１００＝（（８７４ｍｓ＋８７７ｍｓ）−（８６０ｍｓ＋８７４ｍｓ））／（８６０ｍｓ＋８７４ｍｓ）×１００＝０．９８［％］になる。この値は正であるため、陽性であると判定される。
【００３７】
ＴＳＬは、図４のグラフにおいて、Ｖ拍（ＲＲ０）後の連続する５つのＲＲ間隔の回帰直線の傾きのうち最大のものをいう。回帰直線の一例（回帰直線Ｋ）を図５に示す。回帰直線Ｋは、ＲＲ間隔の値を示す５つのプロット（この例ではｐｐａ〜ｐｐｅ）に近い直線を引くことによって表わすことができる。
【００３８】
例えば図４においてＴＳＬを求める場合、プロット表示したＲＲ２〜ＲＲ１６を、５つのＲＲ間隔毎（ＲＲ２〜ＲＲ６、ＲＲ３〜ＲＲ７、・・・、ＲＲ１１〜ＲＲ１６）に移動しながらそれぞれ回帰直線を引いて、その中の最大の傾きを有する回帰直線を選択する。選択された回帰直線の傾きが閾値（２．５ｍｓ／ＲＲ）以下の場合、ＴＳＬは異常であると判定される。
【００３９】
なお、本例では、それぞれのＨＲＴデータにおいてＲＲ間隔のグラフ化を行って、個別ＨＲＴデータを作成し、それぞれの個別ＨＲＴデータに対してＴＯＳ及びＴＳＬを判定する構成も有する。
【００４０】
次に、図６等を参照しつつ心電図解析装置１の動作について説明する。
【００４１】
先ず、ホルター心電計Ａから出力される被検者の２４時間の心電図が、取得部１０によって取得される（ステップＳ１０１）。
【００４２】
取得された心電図において、分類部１１が心電図に含まれるＮ拍とＶ拍とを分類する（ステップＳ１０２）。分類処理された２４時間の心電図は、医療従事者がその分類内容を確認可能なように、表示部１６の画面上に表示される。
【００４３】
続いて、Ｎ拍とＶ拍とが分類処理された２４時間の心電図の中から、単発のＶ拍がデータ選別部２１によって選別される（ステップＳ１０３）。これにより、連続して発生するＶ拍は除外される。
【００４４】
続いて、単発のＶ拍の中から、代償性休止期を伴うＶ拍がデータ選別部２１によって選別される（ステップＳ１０４）。
【００４５】
続いて、代償性休止期を伴うＶ拍の中から、ＨＲＴデータがデータ選別部２１によって選別される（ステップＳ１０５）。
【００４６】
続いて、選別された全てのＨＲＴデータの各ＲＲ間隔（ＲＲ−２、ＲＲ−１、・・・、ＲＲ１６）の平均値が、算出部２２によって算出される（ステップＳ１０６）。算出された平均ＲＲ間隔値で構成される平均ＨＲＴデータは、図４と同様にグラフ化される。
【００４７】
続いて、平均ＨＲＴデータのグラフからＴＯＳとＴＳＬとが算出され、算出されたＴＯＳとＴＳＬとの値に基づいて、平均ＨＲＴデータに対するＨＲＴ検査の結果が判定部２３によって判定される（ステップＳ１０７）。ＴＯＳが閾値（０％）以上であり、且つＴＳＬが閾値（２．５ｍｓ／ＲＲ）以下の場合、ＨＲＴ検査の結果は陽性（異常）であると判定される。これに対して、ＴＯＳが閾値（０％）未満であるという条件とＴＳＬが閾値（２．５ｍｓ／ＲＲ）よりも大きいという条件との少なくとも一方が満たされている場合、ＨＲＴ検査の結果は陰性である（異常ではない）と判定される。
【００４８】
また、ステップＳ１０５に続いて、選別された各ＨＲＴデータにおける各ＲＲ間隔（ＲＲ−２、ＲＲ−１、・・・、ＲＲ１６）の値が、算出部２２によってそれぞれ個別に算出される（ステップＳ２０６）。算出された個別ＲＲ間隔値で構成される個別ＨＲＴデータは、各ＨＲＴデータ毎にグラフ化される。
【００４９】
続いて、個別ＨＲＴデータのグラフからＴＯＳとＴＳＬとが算出され、算出されたＴＯＳとＴＳＬとの値に基づいて、各個別ＨＲＴデータ毎にＨＲＴ検査の結果が判定部２３によって判定される（ステップＳ２０７）。判定基準は、ステップＳ１０７における判定基準と同様である。
【００５０】
また、ステップＳ１０１に続いて、取得された被検者の２４時間の心電図が、周波数解析部１３によって周波数解析される（ステップＳ３０６）。
【００５１】
続いて、ステップＳ１０３，Ｓ１０５，Ｓ１０６，Ｓ１０７，Ｓ２０７，Ｓ３０６等のステップで求められたデータやＨＲＴ検査の結果が、表示制御部１５によって表示部１６に表示される（ステップＳ１０８）。
【００５２】
図７は、ステップＳ１０８において、表示部１６の同一画面内に表示された画面の一例を示している。
表示部１６の例えば上部領域４１には、Ｓ１０７で平均ＨＲＴデータに基づいて算出されたＴＯＳの値（１．０４％）とＴＳＬの値（２．１０ｍｓ／ＲＲ）、及びステップＳ１０５で選別されたＨＲＴデータの総数（１９個）が表示されている。本例では、ＴＯＳが閾値（０％）以上であり、ＴＳＬが閾値（２．５ｍｓ／ＲＲ）以下であるので、平均ＨＲＴデータに対するＨＲＴ検査の結果は陽性であると判定される。
【００５３】
また、表示部１６の例えば中段領域には、平均ＨＲＴデータのグラフ４２が表示され、さらに、個別ＨＲＴデータのそれぞれのグラフを重ねて表示したグラフ４３が表示されている。
【００５４】
また、表示部１６の例えば下段領域には、単発のＶ拍の発生拍数（２１４２２拍）４５と、選別されたＨＲＴデータ数（１９個）４６と、各ＨＲＴデータの個別ＨＲＴ検査結果の陽性数（１４個）４７と、副交感神経の興奮状態を示すＨＦ（High Frequency）成分４８と、交感神経の興奮状態を示すＬＦ／ＨＦ（Low Frequency/High Frequency Ratio）成分４９とが表示されている。これらのデータは、心電図を計測した各時間帯４４毎に表示されるとともに、同一の時間軸上に並列された状態で表示されている。この例の表示では、約２４時間の計測期間内に２１４２２拍の単発のＶ拍が発生し、そのうち１９個のＶ拍がＨＲＴデータに該当して、さらにそのうち１４個のＨＲＴデータが陽性であったことを示している。なお、本例では、００時〜０６時までの時間帯の領域５０は、被検者の睡眠期間を示す。
【００５５】
図８は、図７中の破線のＣ領域の拡大図である。９時台に発生した単発のＶ拍の数が１０分単位で表示されている。例えば、セルの高さは４分割され、１〜１０個のＶ拍が発生した場合に１／４の高さとなり、１１〜１００個の発生で２／４、１０１〜１０００個の発生で３／４、１００１個以上の発生で４／４の高さとなる。
【００５６】
また、図７中の破線のＤ領域には、図９に示すように、１時台に検出されたＨＦ成分の大きさが１０分単位で６分割されて表示されている。ＨＦ成分は、０．１５〜０．４０Ｈｚの周波数帯域の成分で構成されている。なお、時間単位は１０分に限定されず、例えば５分、１分に切り替えることも可能である。
【００５７】
最後に、必要に応じて、Ｓ１０８で表示部１６に表示されたＨＲＴ検査のデータが、印刷制御部１７によって一枚の用紙に印刷される（ステップＳ１０９）。
【００５８】
以上説明した本実施形態の心電図解析装置１によれば、例えば図７に示されるように、平均ＨＲＴデータに対するＨＲＴ検査の結果が表示された表示部１６の同一画面内に、単発のＶ拍の発生拍数、ＨＲＴデータ数、個別ＨＲＴデータに対するＨＲＴ検査結果の陽性数、及び周波数解析の結果等を時系列的に表示することができる。また、時系列的に表示する各データを同一時間軸上に表示することができる。このため、医師は、平均ＨＲＴデータに対するＨＲＴ検査の結果と時系列的に表示された各データとを同一画面内で対比しながらそれらの関連性を確認することができる。
【００５９】
例えば、図７に示すように、平均ＨＲＴデータに対するＨＲＴ検査が陽性の場合、医師は、時系列的に表示された各データの出現数の一日内の変化を確認することで、各データが睡眠時間帯に多く発生しているのか、覚醒時間帯に多く発生しているのかを迅速に判別することができる。このため、医師は、心室性期外収縮（Ｖ拍）と自律神経との関係性を推測することが容易となり、医師は適切な薬を処方することができ、被検者が重篤な状態になるリスクを抑えることが可能になる。このように、医師は、ＨＲＴ検査の結果の妥当性を総合的に検証することが容易となり、ＨＲＴ検査の結果を踏まえた治療方針を迅速に決定することができる。
また、例えば平均ＨＲＴデータに対するＨＲＴ検査の結果が陰性である場合も、心室性期外収縮の出現時刻から、心室性期外収縮（Ｖ拍）と自律神経との関係性を推測することで、医師は適切な薬を処方することができる。また、例えば平均ＨＲＴデータに対するＨＲＴ検査の結果は陰性であるがＴＯＳとＴＳＬとの一方が閾値を超えて異常な値である場合、上記陽性の場合と同様に、医師は、時系列的に表示された各データの出現数の一日内の変化を確認することで、適切な薬を処方することができ、被検者が重篤な状態になるリスクを抑えることが可能になる。
【００６０】
また、医師は、時系列的に表示された周波数解析の結果（ＨＦ成分とＬＦ／ＨＦ成分と）を確認することにより、被検者の自律神経に異常が有るか否かを判別することができる。したがって、例えば周波数解析の結果と単発のＶ拍の発生拍数、周波数解析の結果とＨＲＴデータ数、及び周波数解析の結果と個別ＨＲＴ検査結果の陽性数を時間帯毎に対比することで、自律神経の状態と各データの出現との関連性をさらに正確に検証することができる。
【００６１】
また、例えば単発のＶ拍の発生拍数とＨＲＴデータ数とを時間帯毎に対比することで、単発のＶ拍の発生拍数に対してＨＲＴデータ数が極端に少ない場合、Ｖ拍が頻発したためにＶ拍の前後に所定数のＮ拍が存在せずにＨＲＴデータ数が少なかったと推測できる。また、例えば単発のＶ拍の発生拍数と個別ＨＲＴ検査結果の陽性数とを時間帯毎に対比することで、単発のＶ拍の発生拍数に対して個別ＨＲＴ検査結果の陽性数が極端に少ない場合、Ｖ拍が頻発してＨＲＴデータ数が少なかったために個別ＨＲＴ検査結果の陽性数も少なかったと推測できる。このような場合、医師は、平均ＨＲＴデータに対するＨＲＴ検査の結果に関わらず、被検者が重篤な状態になるリスクが高いことが推測できる。これらのパラメータ同士の対比は、重篤な症状が潜伏していることを見落とす可能性がある場合（ＨＲＴ検査の結果が陰性の場合）に有効である。
【００６２】
このように、本実施形態の心電図解析装置１により、医師は、平均ＨＲＴデータに対するＨＲＴ検査の結果の妥当性を総合的に検証することが容易となり、ＨＲＴ検査の結果を踏まえた的確な治療方針を迅速に決定することができる。
【００６３】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００６４】
１：心電図解析装置、１０：心電図取得部、１１：心電図分類部、１２：ＨＲＴ検査部、１３：周波数解析部、１４：記憶部、１５：表示制御部、１６：表示部、１７：印刷制御部、２１：データ選別部、２２：算出部、２３：判定部
【図１】
0006312585.tif 000002
【図２】
0006312585.tif 000003
【図３】
0006312585.tif 000004
【図４】
0006312585.tif 000005
【図５】
0006312585.tif 000006
【図６】
0006312585.tif 000007
【図７】
0006312585.tif 000008
【図８】
0006312585.tif 000009
【図９】
0006312585.tif 000010